(57)【特許請求の範囲】
【請求項１】
被試験対象（１００）に対する試験信号を生成し、当該試験信号が入力された当該被試験対象からの出力信号に対して測定を実行する測定部（１２）と、ネットワーク（１１０）を介して複数の外部制御装置（３０ａ〜３０ｄ）とデータの送受信を行う第１通信部（１６）と、前記被試験対象を接続する複数の測定ポート（１１−１〜１１−４）と、を備える測定装置（１０）について、
前記測定装置を前記複数の外部制御装置によって遠隔制御するための制御権を管理する制御権管理部（１８）を備え、
前記制御権管理部は、
前記測定ポートごとに、前記複数の外部制御装置のうちの１つに前記制御権を付与する取得管理部（１８ａ）と、
前記測定ポートごとに、前記複数の外部制御装置のうち前記制御権が付与された外部制御装置の当該制御権を解放する解放管理部（１８ｂ）と、
前記測定ポートごとに、前記複数の外部制御装置のうち前記制御権が付与された外部制御装置の当該制御権を解放するとともに、前記複数の外部制御装置のうちの１つに前記制御権を付与する委譲管理部（１８ｃ）と、を含むことを特徴とするマルチユーザ管理装置。
【請求項２】
前記制御権管理部は、前記複数の外部制御装置のうち前記制御権を付与した外部制御装置からのリード／ライトを許可し、前記複数の外部制御装置のうち前記制御権を付与していない外部制御装置からのリードを許可することを特徴とするマルチユーザ管理装置。
【請求項３】
前記測定装置は、
前記測定部の測定結果及び前記測定に関する測定情報を含む表示内容を表示する第１表示部（１３）と、
前記測定情報の設定を行うための第１入力部（１５）と、を更に備え、
前記第１表示部の表示内容と前記第１入力部の少なくとも一部がグラフィカル・ユーザ・インタフェース（ＧＵＩ）で構成され、前記データが、前記ＧＵＩの画像データ、前記測定結果、及び前記測定情報を含むことを特徴とする請求項１又は請求項２に記載のマルチユーザ管理装置。
【請求項４】
前記外部制御装置は、
前記ネットワークを介して前記第１通信部と前記データを送受信する第２通信部（３６）と、
前記第２通信部によって受信された前記ＧＵＩの画像データ、前記測定結果、及び前記測定情報を表示する第２表示部（３３）と、
前記測定情報の設定を行うための第２入力部（３５）と、を有することを特徴とする請求項３に記載のマルチユーザ管理装置。
【請求項５】
前記複数の外部制御装置のうち前記制御権が付与された外部制御装置の前記第２入力部が操作されていない時間を計時する計時部（１９）を更に備え、
前記解放管理部は、前記計時部が所定時間以上を計時した場合には、前記複数の外部制御装置のうち前記制御権が付与された外部制御装置の当該制御権を解放することを特徴とする請求項４に記載のマルチユーザ管理装置。
【請求項６】
前記複数の外部制御装置のうちリード／ライトが許可された外部制御装置は、前記第２表示部に表示される前記ＧＵＩの画像データ、前記測定結果、及び前記測定情報の閲覧と、前記第２入力部による前記測定情報の設定が可能であることを特徴とする請求項４又は請求項５に記載のマルチユーザ管理装置。
【請求項７】
前記複数の外部制御装置のうちリードが許可された外部制御装置は、前記第２表示部に表示される前記ＧＵＩの画像データ、前記測定結果、及び前記測定情報の閲覧が可能であることを特徴とする請求項４から請求項６のいずれか一項に記載のマルチユーザ管理装置。
【請求項８】
被試験対象（１００）に対する試験信号を生成し、当該試験信号が入力された当該被試験対象からの出力信号に対して測定を実行する測定部（１２）と、ネットワーク（１１０）を介して複数の外部制御装置（３０ａ〜３０ｄ）とデータの送受信を行う第１通信部（１６）と、前記被試験対象を接続する複数の測定ポート（１１−１〜１１−４）と、を備える測定装置（１０）について、
前記測定装置を前記複数の外部制御装置によって遠隔制御するための制御権を管理する制御権管理ステップ（Ｓ１〜Ｓ２１）を含み、
前記制御権管理ステップは、
前記測定ポートごとに、前記複数の外部制御装置のうちの１つに前記制御権を付与する取得管理ステップ（Ｓ１〜Ｓ３，Ｓ１０〜Ｓ１２）と、
前記測定ポートごとに、前記複数の外部制御装置のうち前記制御権が付与された外部制御装置の当該制御権を解放する解放管理ステップ（Ｓ７〜Ｓ９）と、
前記測定ポートごとに、前記複数の外部制御装置のうち前記制御権が付与された外部制御装置の当該制御権を解放するとともに、前記複数の外部制御装置のうちの１つに前記制御権を付与する委譲管理ステップ（Ｓ１３〜Ｓ１９）と、を含むことを特徴とするマルチユーザ管理方法。
【発明の詳細な説明】
【技術分野】
【０００１】
本発明は、マルチユーザ管理装置及び方法に関する。
【背景技術】
【０００２】
近年、マルチメディア通信の普及や利用者数の増加、さらには通信技術の発達に伴い、多数の通信規格が策定されている。このため、多数の通信規格に対応し、通信ネットワークを構成する各種機器の性能や、通信ネットワーク内を伝送される信号の品質を測定することが可能な測定装置が求められている（例えば、特許文献１参照）。
【０００３】
特許文献１に開示された測定装置は、試験対象が送信するテストフレームを受信して解析し、例えば、スループット又はレイテンシの測定を行う。さらに、この測定装置は、テストフレームを試験対象に送信してから返送されるまでの遅延時間の測定を行う。
【０００４】
更に多様な測定試験を実行するために、従来の測定装置は、例えばパルスパターン発生器、誤り率検出器、スペクトラムアナライザなどの複数の測定機能を備えていることが多い。
【０００５】
このような従来の測定装置は、通信ネットワーク上に配置されることにより、同じく通信ネットワーク上に配置された外部制御装置によるコマンドベースのリモート制御（以下、「リモートコマンド制御」ともいう）で動作可能となっている。
【０００６】
また、従来より、遠隔地に設置された機器をリモート管理するシステムとして、ネットワークを介して任意のカメラクライアントから任意のカメラにアクセスするシステムが知られている（例えば、特許文献２参照）。特許文献２に開示されたシステムは、リモートコマンド制御を行っており、カメラ制御モジュールを使用して個々のカメラの操作が可能であると同時に、複数のカメラを連係させることが可能となっている。
【先行技術文献】
【特許文献】
【０００７】
【特許文献１】特開２０１１−１７６５６２号公報
【特許文献２】特表２０００−１１３１６６号公報
【発明の概要】
【発明が解決しようとする課題】
【０００８】
しかしながら、特許文献１に開示されたような従来の測定装置を特許文献２に開示されたような従来のシステムでリモート制御する構成では、測定装置をリモート制御する複数の制御装置の間でコンフリクト（衝突）が生じ、正常な制御が不可能になるという問題がある。
【０００９】
本発明は、このような従来の課題を解決するためになされたものであって、測定装置を複数の外部制御装置でリモート制御する際に、複数の外部制御装置の間でのコンフリクトを回避することが可能なマルチユーザ管理装置及び方法を提供することを目的とする。
【課題を解決するための手段】
【００１０】
上記課題を解決するために、本発明の請求項１のマルチユーザ管理装置は、被試験対象に対する試験信号を生成し、当該試験信号が入力された当該被試験対象からの出力信号に対して測定を実行する測定部と、ネットワークを介して複数の外部制御装置とデータの送受信を行う第１通信部と、前記被試験対象を接続する複数の測定ポートと、を備える測定装置について、前記測定装置を前記複数の外部制御装置によって遠隔制御するための制御権を管理する制御権管理部を備え、前記制御権管理部は、前記測定ポートごとに、前記複数の外部制御装置のうちの１つに前記制御権を付与する取得管理部と、前記測定ポートごとに、前記複数の外部制御装置のうち前記制御権が付与された外部制御装置の当該制御権を解放する解放管理部と、前記測定ポートごとに、前記複数の外部制御装置のうち前記制御権が付与された外部制御装置の当該制御権を解放するとともに、前記複数の外部制御装置のうちの１つに前記制御権を付与する委譲管理部と、を含むことを特徴とする。
また、本発明の請求項２のマルチユーザ管理装置においては、前記制御権管理部は、前記複数の外部制御装置のうち前記制御権を付与した外部制御装置からのリード／ライトを許可し、前記複数の外部制御装置のうち前記制御権を付与していない外部制御装置からのリードを許可することを特徴とする。
【００１１】
また、本発明の請求項３のマルチユーザ管理装置においては、前記測定装置は、前記測定部の測定結果及び前記測定に関する測定情報を含む表示内容を表示する第１表示部と、前記測定情報の設定を行うための第１入力部と、を更に備え、前記第１表示部の表示内容と前記第１入力部の少なくとも一部がグラフィカル・ユーザ・インタフェース（ＧＵＩ）で構成され、前記データが、前記ＧＵＩの画像データ、前記測定結果、及び前記測定情報を含むことを特徴とする。
【００１２】
また、本発明の請求項４のマルチユーザ管理装置においては、前記外部制御装置は、前記ネットワークを介して前記第１通信部と前記データを送受信する第２通信部と、前記第２通信部によって受信された前記ＧＵＩの画像データ、前記測定結果、及び前記測定情報を表示する第２表示部と、前記測定情報の設定を行うための第２入力部と、を有することを特徴とする。
【００１３】
また、本発明の請求項５のマルチユーザ管理装置は、前記複数の外部制御装置のうち前記制御権が付与された外部制御装置の前記第２入力部が操作されていない時間を計時する計時部を更に備え、前記解放管理部は、前記計時部が所定時間以上を計時した場合には、前記複数の外部制御装置のうち前記制御権が付与された外部制御装置の当該制御権を解放することを特徴とする。
【００１４】
また、本発明の請求項６のマルチユーザ管理装置においては、前記複数の外部制御装置のうちリード／ライトが許可された外部制御装置は、前記第２表示部に表示される前記ＧＵＩの画像データ、前記測定結果、及び前記測定情報の閲覧と、前記第２入力部による前記測定情報の設定が可能であることを特徴とする。
【００１５】
また、本発明の請求項７のマルチユーザ管理装置においては、前記複数の外部制御装置のうちリードが許可された外部制御装置は、前記第２表示部に表示される前記ＧＵＩの画像データ、前記測定結果、及び前記測定情報の閲覧が可能であることを特徴とする。
【００１６】
また、本発明の請求項８のマルチユーザ管理方法は、被試験対象に対する試験信号を生成し、当該試験信号が入力された当該被試験対象からの出力信号に対して測定を実行する測定部と、ネットワークを介して複数の外部制御装置とデータの送受信を行う第１通信部と、前記被試験対象を接続する複数の測定ポートと、を備える測定装置について、前記測定装置を前記複数の外部制御装置によって遠隔制御するための制御権を管理する制御権管理ステップを含み、前記制御権管理ステップは、前記測定ポートごとに、前記複数の外部制御装置のうちの１つに前記制御権を付与する取得管理ステップと、前記測定ポートごとに、前記複数の外部制御装置のうち前記制御権が付与された外部制御装置の当該制御権を解放する解放管理ステップと、前記測定ポートごとに、前記複数の外部制御装置のうち前記制御権が付与された外部制御装置の当該制御権を解放するとともに、前記複数の外部制御装置のうちの１つに前記制御権を付与する委譲管理ステップと、を含むことを特徴とする。
【発明の効果】
【００１７】
本発明は、測定装置を複数の外部制御装置でリモート制御する際に、複数の外部制御装置の間でのコンフリクトを回避することが可能なマルチユーザ管理装置及び方法を提供する。
【図面の簡単な説明】
【００１８】
【図１】本発明の実施形態としてのマルチユーザ管理装置を備える測定装置の構成を示すブロック図である。
【図２】本発明の実施形態としてのマルチユーザ管理装置を備える測定装置をリモート制御する外部制御装置の構成を示すブロック図である。
【図３】本発明の実施形態としてのマルチユーザ管理装置を備える測定装置、又は、外部制御装置の表示例（その１）である。
【図４】本発明の実施形態としてのマルチユーザ管理装置を備える測定装置、又は、外部制御装置の表示例（その２）である。
【図５】本発明の実施形態としてのマルチユーザ管理装置によるマルチユーザ管理方法（取得及び解放）を説明するシーケンス図である。
【図６】本発明の実施形態としてのマルチユーザ管理装置によるマルチユーザ管理方法（委譲）を説明するシーケンス図である。
【図７】本発明の実施形態としてのマルチユーザ管理装置を用いたアシスタント操作を説明する図である。
【発明を実施するための形態】
【００１９】
以下、本発明に係るマルチユーザ管理装置及び方法の実施形態について、図面を用いて説明する。
【００２０】
図１に示すように、本発明の実施形態としてのマルチユーザ管理装置１は、被試験対象１００に対して各種測定を行う測定装置１０に備えられるものである。
【００２１】
測定装置１０は、マルチユーザ管理装置１、測定ポート１１−１〜１１−４、測定部１２、表示部１３、表示制御部１４、入力部１５、通信部１６（１６−１〜１６−４）、及び制御部１７を備えている。測定装置１０は、例えばインターネット、ＬＡＮ、ＷＬＡＮなどのネットワーク１１０を介して、複数の外部制御装置３０ａ〜３０ｄと有線又は無線接続され、外部制御装置３０ａ〜３０ｄとの間でデータの送受信を行うことができるようになっている。
【００２２】
被試験対象１００は、例えばルータ、スイッチングハブ、伝送装置などのネットワーク機器、あるいは、携帯電話などの無線端末機器である。
【００２３】
測定部１２は、例えば少なくとも１つのフィールド・プログラマブル・ゲート・アレイ（Field Programmable Gate Array：ＦＰＧＡ）によって信号生成部１２ａ及び信号解析部１２ｂを構成し、被試験対象１００に対して測定を実行するようになっている。測定部１２は、少なくとも１つの被試験対象１００に対して、測定ポート１１−１〜１１−４ごとに異なる測定を並列に実行することが可能である。
【００２４】
信号生成部１２ａは、後述する測定項目選択窓４５及び測定パラメータ設定領域４６で設定された測定項目及び測定パラメータに対応した試験信号としてのフレーム又はパケットを生成し、当該試験信号を測定ポート１１−１〜１１−４を介して被試験対象１００に送信するようになっている。なお、測定部１２による測定に関する測定項目及び測定パラメータを総称して「測定情報」ともいう。この測定情報は、測定ポートごとに設定することが可能である。
【００２５】
信号解析部１２ｂは、信号生成部１２ａから出力された出力信号（被測定信号）としてのフレーム又はパケットを測定ポート１１−１〜１１−４を介して被試験対象１００から受信し、当該被測定信号から、後述する測定項目選択窓４５で選択された測定項目に対応した受信状態情報を抽出して、それらを解析するようになっている。
【００２６】
測定ポート１１−１〜１１−４は、被試験対象１００を測定部１２に接続する端子をそれぞれ有しており、イーサネット（登録商標）などのＩＰネットワークを通じて、測定部１２と被試験対象１００との間で、試験信号や被試験対象１００からの被測定信号を光信号又は電気信号に変換して送受信するようになっている。
【００２７】
例えば、各測定ポート１１−１〜１１−４には、１つずつ被試験対象１００が接続されてもよい。あるいは、各測定ポート１１−１〜１１−４には、１つの被試験対象１００が有する複数の測定端子が１つずつ接続されてもよい。
【００２８】
測定部１２による測定は、各測定ポート１１−１〜１１−４にそれぞれ対応する通信部１６−１〜１６−４を介して、外部制御装置３０ａ〜３０ｄによって遠隔制御されるようになっている。なお、図１に示した構成はあくまで一例であり、測定ポートの個数は４つに限定されるものではなく、５以上であってもよいし、３以下であってもよい。
【００２９】
表示部１３は、例えばＬＣＤやＣＲＴなどの表示機器で構成され、表示制御部１４からの制御信号に応じて各種表示内容を表示するようになっている。この表示内容には、測定部１２による測定結果や、測定情報などを設定するためのソフトキー、プルダウンメニュー、テキストボックスなどの操作対象が含まれる。
【００３０】
入力部１５は、例えばテンキーや各種設定キーを備えたキーボードやマウスなどの入力装置や、表示部１３の表面に設けられたタッチパネルのような入力装置や、リモートコマンド制御又はグラフィカル・ユーザ・インタフェース（Graphical User Interface：ＧＵＩ）ベースのリモート制御（以下、「リモートＧＵＩ制御」ともいう）によって測定装置１０の遠隔制御を行う外部制御装置３０ａ〜３０ｄで構成される。入力部１５による入力操作は、制御部１７により検知されるようになっている。表示部１３の表示内容と入力部１５の少なくとも一部はＧＵＩで構成される。
【００３１】
通信部１６−１〜１６−４は、ネットワーク１１０を介して測定装置１０をリモート制御する複数の外部制御装置３０ａ〜３０ｄとの間で、ＧＵＩの画像データ（以下、「ＧＵＩデータ」ともいう）、及び、測定装置１０による測定結果や測定情報のデータ（以下、「測定データ」ともいう）を含むデータや、制御信号の送受信を行うようになっている。
【００３２】
通信部１６−１〜１６−４は、例えば、イーサネット（登録商標）、ＷＬＡＮ、Ｂｌｕｅｔｏｏｔｈ（登録商標）などの有線用又は無線用の通信用インタフェースで構成され、ネットワーク１１０を介して後述する外部制御装置３０ａ〜３０ｄの通信部３６と通信を行う。
【００３３】
制御部１７は、例えばＣＰＵ、ＲＯＭ、ＲＡＭなどを含むマイクロコンピュータで構成され、測定装置１０を構成する各部の駆動制御を行うようになっている。また、制御部１７は、ユーザが入力部１５を操作して設定する後述の測定情報に基づき、当該測定情報に対応する測定を測定部１２に行わせるための制御信号を、測定部１２に出力するようになっている。
【００３４】
また、制御部１７は、外部制御装置３０ａ〜３０ｄによってリモートコマンド制御又はリモートＧＵＩ制御が行われたとき、その制御内容に従って測定部１２に被試験対象１００に対する測定を行わせるようになっている。また、制御部１７は、測定部１２による測定データや、後述のマルチユーザ管理装置１による管理結果のログを保存するようになっている。
【００３５】
図２に示すように、各外部制御装置３０ａ〜３０ｄは、例えば、外部のネットワーク１１０と接続可能なパーソナルコンピュータなどの端末機器であって、表示部３３、表示制御部３４、入力部３５、通信部３６、及び制御部３７を有する。各外部制御装置３０ａ〜３０ｄの構成は同様である。また、表示部３３、入力部３５、通信部３６、及び制御部３７の基本的な構成は、測定装置１０が有する表示部１３、入力部１５、通信部１６−１〜１６−４、及び制御部１７と同様である。
【００３６】
通信部３６は、ネットワーク１１０を介して、測定装置１０の通信部１６−１〜１６−４との間でＧＵＩデータ及び測定データを含むデータを送受信するようになっている。
【００３７】
表示部３３は、表示制御部３４からの制御信号に応じて、通信部３６によって受信されたＧＵＩデータ及び測定データを表示するようになっている。これにより、表示部３３は、測定装置１０の表示部１３の表示内容とほぼ同様の内容を表示することが可能である。
【００３８】
制御部３７は、外部制御装置３０ａ〜３０ｄを構成する各部の駆動制御を行うようになっている。また、制御部３７は、ユーザが入力部３５を操作して設定する後述の測定情報に基づき、当該測定情報に対応する測定を測定装置１０の測定部１２に行わせるための制御信号を、測定装置１０の制御部１７に出力するようになっている。
【００３９】
さらに、制御部３７は、測定装置１０に対する制御権の取得又は解放を要求するコマンドを、マルチユーザ管理装置１に出力するようになっている。
【００４０】
以下、本実施形態のマルチユーザ管理装置１の構成について説明する。マルチユーザ管理装置１は、制御権管理部１８及び計時部１９を備える。
【００４１】
制御権管理部１８は、取得管理部１８ａ、解放管理部１８ｂ、及び委譲管理部１８ｃを含み、測定装置１０を複数の外部制御装置３０ａ〜３０ｄによって遠隔制御するための制御権を管理するようになっている。
【００４２】
取得管理部１８ａは、測定ポート１１−１〜１１−４ごとに通信部１６を介して、複数の外部制御装置３０ａ〜３０ｄのうちの１つに制御権を付与する。解放管理部１８ｂは、測定ポート１１−１〜１１−４ごとに通信部１６を介して、複数の外部制御装置のうち制御権が付与された外部制御装置の当該制御権を解放する。
【００４３】
委譲管理部１８ｃは、測定ポート１１−１〜１１−４ごとに通信部１６を介して、複数の外部制御装置のうち制御権が付与された外部制御装置の当該制御権を解放するとともに、複数の外部制御装置のうちの１つに制御権を付与する。
【００４４】
さらに、取得管理部１８ａ及び委譲管理部１８ｃは、複数の外部制御装置のうち制御権を付与した外部制御装置からのリード／ライトを許可するようになっている。また、解放管理部１８ｂ及び委譲管理部１８ｃは、複数の外部制御装置のうち制御権を付与していない外部制御装置からのリードを許可するようになっている。
【００４５】
また、制御権管理部１８は、表示制御部１４を介して、測定装置１０の表示部１３と外部制御装置３０ａ〜３０ｄの表示部３３に、各通信部１６−１〜１６−４と通信を行っている外部制御装置の識別情報（ＩＰアドレスやユーザの名前など）と、各外部制御装置の制御権の有無を表示させるようになっている。
【００４６】
さらに、制御権管理部１８は、表示制御部１４を介して、外部制御装置３０ａ〜３０ｄの表示部３３に、外部制御装置３０ａ〜３０ｄのユーザ間で制御権の移行に関する意思を確認するためのダイアログを表示させるようになっている。
【００４７】
計時部１９は、複数の外部制御装置３０ａ〜３０ｄのうち、制御権が付与された外部制御装置の入力部３５が操作されていない時間を計時するようになっている。解放管理部１８ｂは、計時部１９が所定時間以上を計時した場合には、複数の外部制御装置３０ａ〜３０ｄのうち制御権が付与された外部制御装置の制御権を解放する。
【００４８】
以下、測定装置１０及び外部制御装置３０ａ〜３０ｄにおける表示制御について説明する。表示制御部１４は内部用表示制御部１４ａ及び外部用表示制御部１４ｂを有する。内部用表示制御部１４ａは、例えば図３に示すようなＧＵＩで構成される表示内容を表示部１３に表示させるようになっている。
【００４９】
外部用表示制御部１４ｂは、例えば図３に示すようなＧＵＩで構成される表示内容を外部制御装置３０ａ〜３０ｄの表示部３３に表示させるためのＧＵＩデータを生成する。なお、外部用表示制御部１４ｂは、ＧＵＩデータの解像度や画質を調整するものであってもよい。
【００５０】
なお、複数の外部制御装置３０ａ〜３０ｄのうちリード／ライトが許可された外部制御装置は、表示部３３に表示される表示内容（測定情報、ＧＵＩデータ、測定結果など）の閲覧と、入力部３５による測定情報の設定を実行することができる。一方、複数の外部制御装置３０ａ〜３０ｄのうちリードのみが許可された外部制御装置は、測定情報の設定を行うことはできず、表示部３３に表示される表示内容の閲覧のみを行うことができる。
【００５１】
測定装置１０の表示部１３、内部用表示制御部１４ａ、及び入力部１５と、外部制御装置３０ａ〜３０ｄの表示部３３、表示制御部３４、及び入力部３５の構成はほぼ同様であるため、以下では外部制御装置３０ａ〜３０ｄの表示部３３、表示制御部３４、及び入力部３５の構成についてのみ詳細に説明する。
【００５２】
図３に示すように、表示制御部３４は、表示部３３に主表示領域４１ａを設定し、設定した主表示領域４１ａ内に、被試験対象１００からの被測定信号に対する信号解析部１２ｂの信号解析結果を測定結果として表示させる制御を行うようになっている。
【００５３】
また、表示制御部３４は、測定開始や停止を指定するための測定開始／停止ボタン４２ａなどの使用頻度の高い処理を実行するための操作ボタンを含む領域４２を、主表示領域４１ａ内に表示させる制御を行うようになっていてもよい。
【００５４】
また、表示制御部３４は、入力部３５の操作により押下可能な表示切替ボタン４３を表示部３３の所定領域に表示させるようになっており、表示切替ボタン４３の押下状態に応じて、各種表示内容の表示のオン／オフを切り替えることができるようになっている。
【００５５】
例えば図４から図３への変化に示すように、表示制御部３４は、表示切替ボタン４３が押下されてオンとなったことによって、主表示領域４１ａ内の一部に副表示領域４１ｂを設定し、副表示領域４１ｂに、通信規格表示窓４４、測定項目選択窓４５及び測定パラメータ設定領域４６を表示する。
【００５６】
なお、表示制御部３４は、表示切替ボタン４３が入力部３５により押下されてオンとなったことを条件として、主表示領域４１ａ内の副表示領域４１ｂ以外の領域４１ｃに信号解析部１２ｂの信号解析結果の少なくとも一部を表示させる制御を行うようになっている。
【００５７】
一方、図３から図４への変化に示すように、表示制御部３４は、表示切替ボタン４３が入力部３５により押下されてオフとなったことを条件として、主表示領域４１ａ内の副表示領域４１ｂの設定をオフとするとともに、副表示領域４１ｂに表示されていた表示内容の表示をオフとするようになっている。
【００５８】
さらに、表示制御部３４は、表示切替ボタン４３が入力部３５により押下されてオフとなったことを条件として、副表示領域４１ｂが設定されていた領域に、信号解析部１２ｂの信号解析結果の少なくとも一部を表示させる制御を行うようになっている。
【００５９】
通信規格表示窓４４は、複数の通信規格の中からあらかじめ設定された一つ以上の通信規格を表示するようになっている。なお、これらの被測定対象の通信規格は、あらかじめ設定されるのみでなく、任意の操作で選択できるようになっていてもよい。
【００６０】
本実施形態において被試験対象１００は、例えば１００Ｇイーサネット（登録商標）、４０Ｇイーサネット（登録商標）、ＳＴＭ（Synchronous Transport Module）−６４の各通信規格に従った通信を行うものである。
【００６１】
あるいは、被試験対象１００は、例えばＷ−ＣＤＭＡ（Wideband Code Division Multiple Access）、ＧＳＭ（登録商標）（Global System for Mobile Communications）、ＬＴＥ（Long Term Evolution）、ＣＤＭＡ２０００（Code Division Multiple Access 2000）、ＥＶ−ＤＯ（Evolution Data Only）、ＴＤ−ＳＣＤＭＡ（Time Division Synchronous Code Division Multiple Access）の各通信規格に従った通信を行うものであってもよい。
【００６２】
測定項目選択窓４５は、プルダウンメニュー機能により、表１に示す複数の測定項目（Ｆｒｅｑｕｅｎｃｙ、Ｓｋｅｗ、ＬＯＳなど）の中から一つの測定項目を選択可能に表示するようになっている。既に述べたように、これらの測定項目は測定ポート１１−１〜１１−４ごとに設定可能である。
【００６３】
測定項目「Ｆｒｅｑｕｅｎｃｙ」は、信号生成部１２ａにより出力される試験信号の周波数を測定対象の通信規格の基準周波数から所定周波数だけずらし、その周波数変化に対する被試験対象１００の耐性を測定するための項目である。
【００６４】
測定項目「Ｓｋｅｗ」は、信号生成部１２ａにより出力される試験信号のフレーム間の時間を変化させ、その時間変化に対する被試験対象１００の耐性を測定するための項目である。
【００６５】
測定項目「ＬＯＳ」は、信号生成部１２ａにより生成された試験信号の被試験対象１００への送信を所定時間停止させることにより、被試験対象１００が所定時間試験信号を受信していない状態を反映した応答を返すか否かを測定するようになっている。
【００６６】
測定パラメータ設定領域４６は、測定項目選択窓４５で選択された測定項目に対応した測定パラメータを設定するための領域である。この測定パラメータは、選択された測定項目に対応した試験信号を信号生成部１２ａに生成させるとともに、被試験対象１００からの出力信号に対して、選択された測定項目に対応した解析処理を信号解析部１２ｂに行わせるために必要なものである。
【００６７】
以下、図３に示すように、測定項目として「Ｆｒｅｑｕｅｎｃｙ」が選択された場合を例に挙げて副表示領域４１ｂの構成を説明する。
【００６８】
具体的には、測定パラメータ設定領域４６は、基準周波数表示窓４６ａ、及び周波数変化量設定窓４６ｂを有する。
【００６９】
基準周波数表示窓４６ａは、通信規格表示窓４４に表示された通信規格に対応した試験信号の基準周波数を表示するようになっている。なお、基準周波数表示窓４６ａは、入力部３５の操作により表示値を変更することも可能となっている。
【００７０】
周波数変化量設定窓４６ｂは、試験信号の周波数について、その基準周波数からのずれの大きさを上下キーにより設定可能に表示するようになっている。
【００７１】
さらに、測定パラメータ設定領域４６は、測定パラメータの数値入力を行うテンキー４６ｃと、測定パラメータの単位を変更する単位切替キー４６ｄと、直前の数値を削除する後退キー（ＢＳ（backspace）キー）４６ｅと、入力した数値を決定する実行キー（Enterキー）４６ｆと、測定パラメータの数値を削除するクリアキー４６ｇと、を有していてもよい。
【表１】
0006031142.tif 000002
【００７２】
以下、図５，６を参照しながら、本実施形態のマルチユーザ管理装置１を用いたマルチユーザ管理方法について説明する。以下では説明を簡単にするため、２つの外部制御装置３０ａ，３０ｂが、１つの測定ポート１１−１に関する制御権を取得、解放、又は委譲する場合の処理の一例を示す。初期状態では、外部制御装置３０ａ，３０ｂのいずれも測定ポート１１−１に関する制御権を有していないものとする。
【００７３】
図５のシーケンス図において、ステップＳ１〜Ｓ３，Ｓ１０〜Ｓ１２は制御権の取得、ステップＳ７〜Ｓ９は制御権の解放に関する処理を示している。なお、図５の処理が実行される前に、測定装置１０が起動しているものとする。
【００７４】
まず、外部制御装置３０ａの制御部３７は、測定ポート１１−１に対応する通信部１６−１を介して、制御権管理部１８に測定ポート１１−１に関する制御権の取得要求を送信する（ステップＳ１）。
【００７５】
次に、制御権管理部１８の取得管理部１８ａは、測定ポート１１−１に関する制御権が既に他の外部制御装置によって取得されていない場合には、外部制御装置３０ａに制御権を付与する旨の取得応答を返す（ステップＳ２）。なお、測定ポート１１−１に関する制御権が既に他の外部制御装置によって取得されている場合には、取得管理部１８ａは、外部制御装置３０ａに制御権を付与しない旨の拒否応答を返す。
【００７６】
そして、外部制御装置３０ａの制御部３７は、取得管理部１８ａから制御権の取得応答を受けると、測定ポート１１−１に関するリード／ライトを実行することが可能になる（ステップＳ３）。
【００７７】
次に、外部制御装置３０ｂの制御部３７が、測定ポート１１−１に対応する通信部１６−１を介して、制御権管理部１８に測定ポート１１−１に関する制御権の取得要求を送信すると（ステップＳ４）、制御権管理部１８の取得管理部１８ａは、外部制御装置３０ｂに制御権を付与しない旨の拒否応答を返す（ステップＳ５）。
【００７８】
次に、外部制御装置３０ｂの制御部３７は、取得管理部１８ａから制御権の拒否応答を受けると、測定ポート１１−１に関するリードを実行することが可能になる（ステップＳ６）。
【００７９】
次に、制御権管理部１８は、外部制御装置３０ａの入力部３５が前回操作されてから所定時間が経過したか否か、すなわち計時部が所定時間以上を計時したか否かを判断する（ステップＳ７）。所定時間が経過していない場合には、所定時間が経過するまで待機する。所定時間が経過した場合には、ステップＳ８に進む。
【００８０】
ステップＳ８において、制御権管理部１８の解放管理部１８ｂは、外部制御装置３０ａの制御権を解放する。これにより、外部制御装置３０ａは、測定ポート１１−１に関するリードのみを実行することが可能になる（ステップＳ９）。
【００８１】
次に、外部制御装置３０ｂの制御部３７は、測定ポート１１−１に対応する通信部１６−１を介して、制御権管理部１８に測定ポート１１−１に関する制御権の取得要求を送信する（ステップＳ１０）。
【００８２】
次に、制御権管理部１８の取得管理部１８ａは、測定ポート１１−１に関する制御権がいずれの外部制御装置にも取得されていないため、外部制御装置３０ｂに制御権を付与する旨の取得応答を返す（ステップＳ１１）。
【００８３】
そして、外部制御装置３０ｂの制御部３７は、取得管理部１８ａから制御権の取得応答を受けると、測定ポート１１−１に関するリード／ライトを実行することが可能になる（ステップＳ１２）。
【００８４】
図５のステップＳ４〜Ｓ６の処理では、ある測定ポートに関して既に制御権を取得している外部制御装置がある場合には、他の外部制御装置が当該測定ポートに関する制御権を取得することができないようになっている。本発明はこれに限定されず、ある測定ポートに関して既に制御権を取得している外部制御装置がある場合に、他の外部制御装置が当該測定ポートに関する制御権を強制的に取得することができるようになっていてもよい。あるいは、以下の図６に示すように、本実施形態のマルチユーザ管理装置１を介して２つの外部制御装置の間で制御権の委譲を行ってもよい。
【００８５】
図６（ａ）のシーケンス図において、ステップＳ１３〜Ｓ１９は制御権の委譲に関する処理を示している。以下の説明では、ステップＳ１３以前の段階で外部制御装置３０ｂが制御権を取得しているものとする。
【００８６】
まず、外部制御装置３０ａの制御部３７は、測定ポート１１−１に対応する通信部１６−１を介して、制御権管理部１８に測定ポート１１−１に関する制御権の取得要求を送信する（ステップＳ１３）。
【００８７】
次に、制御権管理部１８は、制御権を取得している外部制御装置３０ｂの表示部３３に、外部制御装置３０ａのユーザが測定ポート１１−１に関する制御権を要求している旨のダイアログを表示させる（ステップＳ１４）。
【００８８】
次に、外部制御装置３０ｂのユーザが、ステップＳ１４で表示されたダイアログにおいて、外部制御装置３０ａの制御権の要求を許可する旨の回答をした場合には、外部制御装置３０ｂの制御部３７は、測定ポート１１−１に対応する通信部１６−１を介して、制御権管理部１８に測定ポート１１−１に関する制御権の解放要求を送信する（ステップＳ１５）。
【００８９】
次に、解放管理部１８ｂは、外部制御装置３０ｂに制御権を解放する旨の解放応答を返す（ステップＳ１６）。これにより、外部制御装置３０ｂは、測定ポート１１−１に関するリードのみを実行することが可能になる（ステップＳ１７）。
【００９０】
次に、制御権管理部１８の取得管理部１８ａは、測定ポート１１−１に関する制御権がいずれの外部制御装置にも取得されていないため、外部制御装置３０ａに制御権を付与する旨の取得応答を返す（ステップＳ１８）。
【００９１】
そして、外部制御装置３０ａの制御部３７は、取得管理部１８ａから制御権の取得応答を受けると、測定ポート１１−１に関するリード／ライトを実行することが可能になる（ステップＳ１９）。
【００９２】
一方、外部制御装置３０ｂのユーザが、ステップＳ１４で表示されたダイアログにおいて、外部制御装置３０ａの制御権の要求を拒否する旨の回答をした場合には、ステップＳ１４以降の処理は図６（ｂ）に示すようになる。
【００９３】
図６（ｂ）に示すように、制御権管理部１８の取得管理部１８ａは、外部制御装置３０ａに制御権を付与しない旨の拒否応答を返す（ステップＳ２０）。これにより、外部制御装置３０ａは、測定ポート１１−１に関するリードのみを実行することが可能になる（ステップＳ２１）。
【００９４】
また、本実施形態のマルチユーザ管理装置１によれば、図７に示すように、測定装置１０に有線又は無線接続される外部制御装置３０ａ〜３０ｄに加えて、更に外部制御装置３０を設けて外部制御装置３０ａ〜３０ｄの制御権を管理する構成も可能である。
【００９５】
例えば、外部制御装置３０を使用している管理者としてのユーザが、外部制御装置３０ａ〜３０ｄの表示部３３の表示内容を閲覧し、外部制御装置３０ａ〜３０ｄのユーザからの要求に応じて、外部制御装置３０ａ〜３０ｄ間で制御権を動的に移行することもできる。
【００９６】
例えば、図７（ａ）から図７（ｂ）への変化に示すように、制御権を取得している外部制御装置３０ａのユーザが、遠隔地の外部制御装置３０を使用している管理者に制御権を委譲することができる。これにより、外部制御装置３０ａのユーザが測定装置１０を用いて測定を行っている際に、遠隔地にいる管理者が測定結果を閲覧したり、一時的にアシスタント操作を行ったりすることが可能となる。
【００９７】
なお、図７では、１つの外部制御装置３０が、１つの測定装置１０に接続している外部制御装置３０ａ〜３０ｄを監視する構成を示したが、１つ以上の外部制御装置３０が、複数の測定装置１０に接続している外部制御装置を監視するものであってもよい。
【００９８】
以上説明したように、本実施形態のマルチユーザ管理装置１は、測定装置１０の測定ポート１１−１〜１１−４ごとに、複数の外部制御装置３０ａ〜３０ｄのうちの１つに制御権を付与する取得管理部１８ａと、複数の外部制御装置のうち制御権が付与された外部制御装置の当該制御権を解放する解放管理部１８ｂと、複数の外部制御装置のうち制御権が付与された外部制御装置の当該制御権を解放するとともに、複数の外部制御装置のうちの１つに制御権を付与する委譲管理部１８ｃと、を備える。
【００９９】
これにより、複数ユーザによる同時リモート制御環境において、ユーザが明示的な制御権を持って測定装置を使用することができるため、他のユーザに影響されずに測定装置の制御を行うことができる。
【０１００】
また、制御権の取得、解放、委譲により、ユーザ間で制御権の動的なやり取りが可能となる。さらに、複数ユーザがそれぞれ遠隔地の外部制御装置を操作する場合であっても、円滑に制御権を移行できるので、高額なネットワーク試験装置などの測定装置を有効に使用することが可能になる。
【０１０１】
また、本実施形態のマルチユーザ管理装置１においては、制御権管理部１８は、複数の外部制御装置３０ａ〜３０ｄのうち制御権を付与した外部制御装置からのリード／ライトを許可し、複数の外部制御装置３０ａ〜３０ｄのうち制御権を付与していない外部制御装置からのリードを許可する。
【０１０２】
これにより、測定ポートごとにライト可能な外部制御装置を１つに制限して、コンフリクトを回避することができる。
【０１０３】
また、本実施形態のマルチユーザ管理装置１においては、複数の外部制御装置３０ａ〜３０ｄのうち制御権が付与された外部制御装置の入力部３５が操作されていない時間を計時する計時部１９を更に備え、解放管理部１８ｂは、計時部１９が所定時間以上を計時した場合には、複数の外部制御装置３０ａ〜３０ｄのうち制御権が付与された外部制御装置の当該制御権を解放する。
【０１０４】
これにより、長時間使用されていない外部制御装置が制御権を独占し続けることを防止して、測定装置を有効に使用することが可能になる。
【０１０５】
また、本実施形態のマルチユーザ管理装置１においては、複数の外部制御装置３０ａ〜３０ｄのうちリード／ライトが許可された外部制御装置は、表示部３３に表示されるＧＵＩデータ及び測定データの閲覧と、入力部３５による測定情報の設定が可能である。また、複数の外部制御装置３０ａ〜３０ｄのうちリードが許可された外部制御装置は、表示部３３に表示されるＧＵＩの画像データ及び測定データの閲覧が可能である。
【０１０６】
これにより、１つの測定ポートに関して、２つの外部制御装置の表示部にほぼ同様の表示内容が表示されるとともに、当該２つの外部制御装置の間で制御権を移行できるため、あるユーザが測定装置１０を用いて測定を行っている際に、他のユーザが測定結果を閲覧したり、一時的にアシスタント操作を行ったりすることが可能となる。
【符号の説明】
【０１０７】
１  マルチユーザ管理装置
１０  測定装置
１１−１〜１１−４  測定ポート
１２  測定部
１２ａ  信号生成部
１２ｂ  信号解析部
１３  表示部（第１表示部）
１４，３４  表示制御部
１４ａ  内部用表示制御部
１４ｂ  外部用表示制御部
１５  入力部（第１入力部）
１６，１６−１〜１６−４  通信部（第１通信部）
１７，３７  制御部
１８  制御権管理部
１８ａ  取得管理部
１８ｂ  解放管理部
１８ｃ  委譲管理部
１９  計時部
３０ａ〜３０ｄ，３０  外部制御装置
３３  表示部（第２表示部）
３５  入力部（第２入力部）
３６  通信部（第２通信部）
１００  被試験対象
１１０  ネットワーク
【図１】
0006031142.tif 000003
【図２】
0006031142.tif 000004
【図３】
0006031142.tif 000005
【図４】
0006031142.tif 000006
【図５】
0006031142.tif 000007
【図６】
0006031142.tif 000008
【図７】
0006031142.tif 000009